(57)【特許請求の範囲】
【請求項１】
小便器の洗浄水が流れる壁面に取り付けられる箱状の薬剤ケースであって、
前記薬剤ケース内に洗浄水を導入する導入口を前記壁面に対峙する面（以後、「裏面」という）の上部に有し、前記裏面の下部に流出口を有し、前記薬剤ケースの内部に薬剤を収納し、洗浄時の洗浄水の一部を前記導入口から導入して前記薬剤に向かって流して薬剤を溶解して薬液を生成し、生成された薬液を洗浄後も前記流出口から小便器の壁面に流出させ続ける薬剤ケースにおいて、
前記流出口よりも開口面積の大きい排水口を前記流出口の上部でかつ前記導入口の水平方向横に有し、洗浄水が導入されている間、前記生成された薬液のオーバーフロー分を前記排水口から小便器の壁面に流出させることを特徴とする薬剤ケース。
【請求項２】
前記排水口の下縁の高さを、初期に収納された状態での薬剤の上縁より低くなるように設定したことを特徴とする請求項１に記載の薬剤ケース。
【請求項３】
小便器の洗浄水が流れる壁面に取り付けられる箱状の薬剤ケースであって、
前記薬剤ケース内に洗浄水を導入する導入口を前記壁面に対峙する面（以後、「裏面」という）の上部に有し、前記裏面の下部に流出口を有し、前記薬剤ケースの内部に薬剤を収納し、洗浄時の洗浄水の一部を前記導入口から導入して前記薬剤に向かって流して薬剤を溶解して薬液を生成し、生成された薬液を洗浄後も前記流出口から小便器の壁面に流出させ続ける薬剤ケースにおいて、
前記流出口よりも開口面積の大きい排水口を前記流出口の上部に有し、かつ前記排水口から排水された薬液を左右に分流する山型の樋を前記薬剤ケースの裏面に設け、
洗浄水が導入されている間、前記生成された薬液のオーバーフロー分を前記排水口から前記山型の樋で左右に分流して前記小便器の壁面に流出させることを特徴とする薬剤ケース。
【請求項４】
上記樋の先端を薬剤ケースの側面から各々突出させると共に、その先端から流れ出る薬液の方向を小便器の壁面側に向ける流出方向調節部を設けたことを特徴とする請求項３に記載の薬剤ケース。
【請求項５】
薬剤ケース内において薬剤を前方側に偏在させる仕切り板を設けると共に、この仕切り板の左右に、導入口から導入された洗浄水を薬剤側に流す洗浄水用開口と、仕切り板の中央に、薬剤に接して生成された洗浄水を排水口に対して流出させる薬液用開口とを形成したことを特徴とする請求項１から請求項４のいずれか一項に記載の薬剤ケース。
【請求項６】
上記薬液用開口の上部に、導入口から導入された洗浄水の流勢を緩和し、洗浄水の流れを阻害しない庇を設けたことを特徴とする請求項５に記載の薬剤ケース。
【請求項７】
上記洗浄水用開口と薬液用開口との間に、洗浄水と薬液との混合を防止する仕切りを設けたことを特徴とする請求項５または請求項６に記載の薬剤ケース。
【請求項８】
上記樋の後端縁に、薬液の後方への漏出を防止し、左右へ導く壁部を形成したことを特徴とする請求項３または請求項４に記載の薬剤ケース。
【請求項９】
上記樋の上部に、排水口からの薬液の排水が停止した後も継続して薬剤タンク内の薬液を樋上に排水する補助排水口を形成したことを特徴とする請求項３または請求項４に記載の薬剤ケース。
【請求項１０】
薬剤に上方から被さり薬剤の一部を覆うカバーを設け、洗浄水が導入された際に内部に空気を残留させてカバー内への洗浄水の進入を阻止し、カバーで覆われている部分の薬剤に洗浄水が接触することを防止することを特徴とする請求項１から請求項９のいずれか一項に記載の薬剤ケース。
【発明の詳細な説明】
【技術分野】
【０００１】
本発明は、小便器の壁面に取り付けられ、壁面に沿って洗浄水が流される毎に洗浄液やその他の薬液を便器側に排水する薬剤ケースに関する。
【背景技術】
【０００２】
従来のこの種の装置として、例えば小便器の壁面に取り付けられ、この壁面に沿って上方から流れてくる洗浄水を内部に取り込む導入口を上部に備えた容器本体を有し、容器本体の内部に取り込まれた洗浄水に溶解して薬液を生成する薬剤を収納する薬剤収納部を容器本体に設けると共に、生成された薬液を排水する流出口を容器本体の下部に形成したものが知られている（例えば、特許文献１参照）。【０００３】
このものでは、小便器の壁面に沿って流れ落ちる洗浄水を薬剤ケース内に導入するが、所定量の洗浄水が薬剤ケース内に導入されると、その後に導入される洗浄水を洗浄水のまま薬剤ケース外に排水し、洗浄水の流れ落ちが停止して薬剤ケース内に洗浄水が導入されなくなると、薬剤ケース内に生成された薬液を流出口から流出させるように構成されている。
【先行技術文献】
【特許文献】
【０００４】
【特許文献１】特開２００３−２４７２５６号公報（図２，図３）
【発明の概要】
【発明が解決しようとする課題】
【０００５】
上記従来の薬剤ケースでは、薬剤ケース内に洗浄水が導入されている間は薬液はほとんど流出せず、洗浄水の導入が停止した後に、薬剤ケース内の濃度の高い薬液が薬剤ケースの下方に、少量流出する。これでは、小便器の壁面全体に薬液を接触させることができず、小便器の洗浄等を効率よく行うことができない。【０００６】
そこで本発明は、上記の問題点に鑑み、上記の不具合を解消することのできる薬剤ケースを提供することを課題とする。
【課題を解決するための手段】
【０００７】
上記課題を解決するために本発明による薬剤ケースは、小便器の洗浄水が流れる壁面に取り付けられる箱状の薬剤ケースであって、前記薬剤ケース内に洗浄水を導入する導入口を前記壁面に対峙する面（以後、「裏面」という）の上部に有し、前記裏面の下部に流出口を有し、前記薬剤ケースの内部に薬剤を収納し、洗浄時の洗浄水の一部を前記導入口から導入して前記薬剤に向かって流して薬剤を溶解して薬液を生成し、生成された薬液を洗浄後も前記流出口から小便器の壁面に流出させ続ける薬剤ケースにおいて、前記流出口よりも開口面積の大きい排水口を前記流出口の上部でかつ前記導入口の水平方向横に有し、洗浄水が導入されている間、前記生成された薬液のオーバーフロー分を前記排水口から小便器の壁面に流出させることを特徴とする。
【０００８】
薬剤ケースに大量の洗浄水が導入されると、導入された洗浄水を洗浄水のまま排出するのではなく、薬剤に接触させて薬液とした後排出させる。このように構成することにより、濃度が多少低くはなるが、大量の薬液を排出することができる。【０００９】
なお、排水口の下縁の高さは使用前の初期状態の薬剤の上縁の高さに一致させることが基本ではあるが、洗浄水の導入量が多い場合には、排水は排水口の下縁より高い位置を流れる。そこで、上記排水口の下縁の高さを、収納された状態での薬剤の上縁より低くなるように設定することにより、洗浄水が導入され続けている状態での導入量と排水量とのバランスを計ることとした。【００１０】
また、排水口からの薬液の排水量が多いと、それだけで薬液が小便器の壁面に沿って左右（小便器の利用者から見て薬剤ケース１の左右）に拡がるが、さらに左右への拡がりを促進するため、上記薬剤ケースの裏面（小便器の利用者から見て薬剤ケース１の裏側）に、排水口から排水された薬液を左右に分流する山型の樋を設けることが望ましい。【００１１】
なお、このように樋を設ける場合、上記樋の先端を薬剤ケースの側面から各々突出させると共に、その先端から流れ出る薬液の方向を小便器の壁面側に向ける流出方向調節部を設けると、薬液が樋から小便器の壁面に確実に届くことになる。【００１２】
導入された洗浄水を薬剤に効率よく流すため、薬剤ケース内において薬剤を前方側に偏在させる仕切り板を設けると共に、この仕切り板の左右に、導入口から導入された洗浄水を薬剤側に流す洗浄水用開口と、仕切り板の中央に、薬剤に接して生成された洗浄水を排水口に対して流出させる薬液用開口とを形成してもよい。【００１３】
同じく、上記薬液用開口の上部に、導入口から導入された洗浄水の流勢を緩和し、洗浄水の流れを阻害しない庇（ひさし）を設けることが望ましい。【００１４】
また、上記洗浄水用開口と薬液用開口との間に、洗浄水と薬液との混合を防止する仕切りを設ければ、排水される薬液の濃度の低下を防止することができる。【００１５】
なお、上記樋の後端縁に、薬液の後方への漏出を防止し、左右へ導く壁部を形成してもよい。【００１６】
さらに、排水口からの薬液の排水が停止したあと樋に薬液が流れないと、薬液を左右に広げ続けることができない。そこで、上記樋の上部に、排水口からの薬液の排水が停止した後も継続して薬剤タンク内の薬液を樋上に排水する補助排水口を形成することが望まれる。【００１７】
また、薬剤に上方から被さり薬剤の一部を覆うカバーを設け、洗浄水が導入された際に内部に空気を残留させてカバー内への洗浄水の進入を阻止し、カバーで覆われている部分の薬剤に洗浄水が接触することを防止することによって、薬剤の溶解速度を抑えることが可能になる。【００１８】
また、本発明は、上記薬剤ケースに用いられる固形の薬剤であって、固体酸を含有する成形体であることを特徴とする薬剤を提供する。
【発明の効果】
【００１９】
以上の説明から明らかなように、本発明によれば、導入された洗浄水を薬液にして排出する際に、洗浄水が薬剤ケースに導入されている最中は洗浄水がオーバーフローするのでそのオーバーフロー分の洗浄水を薬液にして通常の流出口とは別途設けた開口面積の大きい排水口から排出させることにより、多量の薬液を小便器の壁面に流すことができる。また、洗浄終了後はオーバーフロー分がないので薬液は排水口から排出しなくなり、通常の流出口から排出され続ける。その結果、小便器の壁面の広い範囲に薬液を接触させることができ、薬液による消毒や洗浄を効率よく行うことができる。
【図面の簡単な説明】
【００２０】
【図１】本発明に係る薬剤ケースの使用状態を示す正面図である。
【図２】本発明に係る薬剤ケースが適用される２種類の小便器を示す斜視図で、（ａ）はシャワー形、（ｂ）はスプレッダー形である。
【図３】実施例１に係る薬剤ケースを構成するケース本体と蓋に分解して示す斜視図である。
【図４】実施例１に係る薬剤ケースの使用時における洗浄水および薬液の流れを示す縦断面図である。
【図５】実施例２に係る薬剤ケースの形状を示す斜視図である。
【図６】実施例３に係る薬剤ケースの形状を示す斜視図である。
【図７】実施例４に係る薬剤ケースの形状を示す斜視図である。
【図８】実施例５に係る薬剤ケースを構成するケース本体と蓋に分解して示す斜視図である。
【図９】実施例６に係る薬剤ケースを構成するケース本体と蓋に分解しての形状を示す斜視図である。
【図１０】実施例７に係る薬剤ケースの形状を示す斜視図である。
【図１１】実施例８に係る薬剤ケースの形状を示す斜視図である。
【図１２】実施例９に係る薬剤ケースの形状を示す縦断面図である。
【図１３】実施例９に係る薬剤ケースの分解斜視図である。
【図１４】実施例１０に係る薬剤ケースの形状を示す斜視図である。
【図１５】実施例１０に係る薬剤ケースの調節部９１の代替構成を示す斜視図である。
【図１６】導入口４の変形例を示す拡大斜視図である。
【図１７】図１０の樋の変形例を示す実施例１１の樋の斜視図（Ａ）と平面図（Ｂ）と正面図（Ｃ）である。
【発明を実施するための形態】
【００２１】
図１を参照して、１は本発明による薬剤ケースであり、小便器Ｗの壁面に取り付けられた状態の薬剤ケースであり、取手１１を介して小便器Ｗ内に吊り下げられている。図２に示すように、小便器Ｗには２種類あり、一方は（ａ）に示すように洗浄水の噴出口ＷＨが多数並設されたシャワー形と呼ばれるものであり、他方は（ｂ）に示すように、中央にのみ噴出口ＷＨが設けられたスプレッダー形と呼ばれるものである。シャワー形では噴出口ＷＨが多数設けられているので、洗浄水の噴出速度は遅い。これに対してスプレッダー形では噴出口が少ないので洗浄水が勢いよく噴出され、小便器Ｗの全体に洗浄水が行き渡るように構成されている。いずれの形式の小便器にも本発明の薬剤ケース１を取り付けることができる。具体的には噴出口ＷＨに金属製のフックＨを引っ掛けて、そのフックＨに取手１１を引っ掛けるようにした。
【００２２】
本図の（ａ）では近接する２個の噴出口にフックを設置するため、２個の導入口が洗浄水の噴出口の真下に位置し、効果的に洗浄水を導入できる。またフックＨが前方に傾斜する構造となっているため、噴出された洗浄水の流れがフックに当り飛び散ることはない。また、（ｂ）のフックも薬剤ケースを吊り下げることにより前方に引っ張られた状態になるため、噴出した洗浄水がフックに当り飛び散らない構造となっている。
【００２３】
図３および図４を参照して、薬剤ケース１はケース本体２と蓋３とから構成されている。
ケース本体２の左右側面には取手１１が揺動自在に係合する係合部２１が形成されている。また、小便器Ｗに取り付けられた状態で小便器Ｗの壁面に対峙することになる裏面には、上部に左右１対の導入口４が設けられている。洗浄水Ｗａはこの２つの導入口４からケース本体２内に導入され、後述する内部の薬剤Ｃが溶解した薬液Ｗｆとなって、同じく裏面の下部に設けた３個の流出口５１から流出されるようにした。なお、流出口５１から流出する薬液Ｗｆを小便器Ｗの壁面に確実に流すように、中央の流出口５１の下部にガイド５を形成した。導入口４は図３および図４では左右に設けられているが、本発明はもちろんこれに限定されるものではなく、細長い開口の１個でも、小さめの開口の３個以上でもよいし、その位置も左右ではなくて中央や中央よりでもよい。要するに、洗浄水Ｗａを薬剤ケースの内部にスムーズに取り込めることができる位置であればどこでもよい。
【００２４】
上記の導入口４とこのガイド５の３点で小便器Ｗの壁面に接して薬剤ケース１の姿勢を保持するようにした。なお、左右の流出口５１には各々サブガイド５２を設けて、同じく薬液を小便器Ｗの壁面に流すようにした。
【００２５】
導入口４に挟まれた中央部分には排水口７が形成されている。この図３に示す実施例１のものでは、この排水口７の下縁を後述するようにケース本体２内に収納された薬剤Ｃの上縁と同じ高さになるように設定した。
【００２６】
ケース本体２の左右内側面には各々ガイド２２が形成されている。一方、蓋３には下方に延びる隔壁６を形成した。この隔壁６はガイド２２に係合してケース本体２内に収納されるが、内部に収納される薬剤Ｃはこの隔壁６の前側に位置するように設定されている。また、隔壁６の下部には左右に洗浄水用の開口６１を形成して、導入された洗浄水Ｗａがこの開口６１を通って薬剤側に流れるようにした。また、流れ込んだ洗浄水Ｗａは薬剤Ｃに接触して薬液Ｗｆになるが、その薬液Ｗｆが通過する開口６２を隔壁６の中央に設けた。したがって、この開口６２を通って前方から後方に流れた薬液Ｗｆは排水口７から外部への排水されることになる。
【００２７】
なお、特にスプレッダー形の小便器Ｗでは洗浄水Ｗａが導入口４から勢いよくケース本体２内に導入される。そこで、その流勢を緩和するために庇（ひさし）６１ａ、６２ａを各々の開口６１，６２の上部に形成した。
【００２８】
図５に示すものは実施例２であり、図３に示した実施例１との相違点は排水口７の下縁の高さである。上述のように、図３に示した実施例１では、排水口７の下縁は薬剤Ｃの上縁とほぼ同じ高さであるが、図５に示す実施例２柄はこの排水口７の下縁を５ｍｍ低くした。
【００２９】
次に図６に示す実施例３では、排水口７の下縁の高さは実施例１と同じであるが、この排水口７の下部に山型の樋８を形成した。この樋８の先端８２はケース本体２の側面よりも外方に突出して設けられている。そして、この先端８２から流れ出る薬液の向きを小便器Ｗの壁面側に曲げる流出方向調節部８１を設けた。この流出方向調節部８１は角度α後方に傾いて形成されている。
【００３０】
図７に示す実施例４では、上記図５に示した実施例２に、図６の実施例３の樋８を追加した。
【００３１】
図８に示す実施例５ではこの実施例４に対してさらに庇６１ａを除去し、庇６２ａのみを残した。
【００３２】
図９に示す実施例６では図８に示した実施例５に対して、開口６１，６１と開口６２とを仕切る仕切り板６３を設けた。
【００３３】
図１０に示す実施例７では、図７に示す実施例４に対して、樋８の後部に縦壁８３を設けた。
【００３４】
次に、図１１に示す実施例８では、同じく図７に示す実施例４に対して、樋８の上部に補助排水口８４を設けた。
【００３５】
以上の実施例１から実施例８に示す薬剤ケースを小便器Ｗに取り付け、実際に洗浄水を流し、薬液の濃度を測定した。なお３個の流出口５１はいずれも直径１．５ｍｍの円形であり、流出口５１から流出する薬液の流出速度が遅いため、排水口７から流出する薬液の量に比べると流出口５１から流出する薬液の量は少ない。しかし、洗浄水が停止した後に薬剤ケース内に溜まった薬液が流出口５１から流出するため、薬剤ケース１の下の部分の小便器壁面を薬液が洗浄水に希釈されることなく流れ、便器下部の排水トラップに流入する。このため、汚れが発生しやすい便器壁面中央部と排水トラップの汚れを効果的に洗浄できる構造となっている。
【００３６】
具体的には薬剤Ｃとして、２７ｇの固体酸を縦２５ｍｍ＊横５２ｍｍ＊高さ１７ｍｍの大きさに成形し、シャワー形の小便器ＷであるＴＯＴＯ社製の壁掛けストール形小便器（Ｕ３７０）に取り付け、１０分間隔で１０秒間洗浄水を流した。そして、取り付け後１８時間経過した後に便器のトラップ水と、洗浄水が流れている１０秒間の容器下部（幅６０ｍｍ）と容器左側（幅６０ｍｍ）の洗浄水とを採取して薬液の濃度を測定した。その測定結果を表１に示す。なお、試験時の水温は２１℃から２３℃であり、薬剤ケース内の残存薬剤の重量は２１ｇ〜２２ｇであった。
【００３７】
固体酸としては、フマル酸、アジピン酸、オルトフタル酸、コハク酸、マレイン酸、メチレンコハク酸、硼酸などが挙げられる。これらの固体酸は１種単独、もしくは２種以上の混合物として使用される。
【００３８】
また、界面活性剤を含有させてもよい。界面活性剤としては、エチレンオキサイド−プロピレンオキサイド共重合物、エチレンオキサイド−プロピレンオキサイド共重合物及びソルビタンモノオレート、との混合物、並びにエチレンオキサイド−プロピレンオキサイド共重合物及びジオクチルスルフォコハク酸ナトリウムとの混合物からなる群から選ばれる少なくとも一種を用いる。
【００３９】
また、溶解した薬剤に着色するため、色素を含有させてもよい。この色素としては、食用青色１号（ブリリアントブルーＦＣＦ）単独又は食用青色１号と他の水溶解性色素との混合物を用いることができる。
【表１】
0005445980.tif 000002
【００４０】
また、上記と同じ条件で、スプレッダー形の小便器としてＴＯＴＯ社製の自動洗浄小便器（ＵＳ８２０Ｃ）に取り付けた場合の測定結果を表２に示す。
【表２】
0005445980.tif 000003
【００４１】
ところで、上記薬剤ケース１は取り付けられる小便器の種類や形状、また水圧等によって内部に取り込まれる水量がばらつく。そのため、水が取り込みにくい場合であって十分な水量の水を内部に取り込めるように形成する必要がある。ところが、逆に水を取り込みやすい箇所に取り付けると、非常に多くの水が取り込まれ、薬剤Ｃの溶解速度が速くなり薬剤Ｃの消耗が激しくなる場合がある。
【００４２】
そのような場合には、図１２および図１３に示すように、薬剤Ｃに対してカバー９を被せるようにした。このカバー９は下方に開口しており、薬剤Ｃに対して上方から被せ、薬剤Ｃの一部を覆うようにした。薬剤ケース１内に水が取り込まれた際にカバー９内の空気はカバー９内に残留するので、水はカバー９内に進入することができない。その結果、薬剤Ｃのカバー９で覆われている部分は水と接触することがなく、薬剤Ｃの溶解速度を押さえることができる。なお、カバー９の側面には現場で適宜切り取ることのできる調節部９１を設けた。この調節部９１を適宜の深さに切り取ると、切り取られた位置まで水がカバー９内に進入するので、薬剤Ｃと水との接触面積を調節することができる。
【００４３】
調節部９１は切り取りが容易な様に周囲より肉薄にすることが好ましい。また、図１３および図１４に示すように、切り取り部の高さが異なる調節部９１を複数設けることにより、薬剤の溶解速度を調節することが可能になる。
【００４４】
また、図１５に示すように、調節部９１の代わりに予め開けられた高さの異なる穴９２を粘着シートやプラスチック製の栓９３で封じておき、必要な高さの穴９２を開放することにより薬剤の溶解速度を調節することもできる。
【００４５】
ところで、薬剤の溶解速度は導入口４から導入される洗浄水の量によっても影響を受ける。スプレッダー形の小便器においてはシャワー形の小便器より洗浄水の噴出速度が速いために薬剤の溶解が早くなる。そこで、図１６に示すように、小便器の洗浄方式による薬剤の溶解速度を変動を調節するため、導入口４の先端部分の肉薄部分に切れ目４１を入れておき、スプレッダー形の様に洗浄水の噴出速度が速い小便器に使用する場合は外側部４１ａをカットすることにより導入口４より導入する洗浄水の量を減少させ、薬剤の溶解速度を遅くすることができる。
【００４６】
なお、この実施例９ではカバー９を別体に設けたが、図１４に示す実施例１０のように、カバー９を蓋３に対して一体に形成してもよい。
【００４７】
〈実施例１１：長尺樋８Ａ〉
図１７は実施例１１で、図１０の樋の変形例を示す斜視図である。
図１７において、８Ａが実施例１１に係る長尺状の樋（長尺体）である。この長尺樋８Ａは断面コ字状で全体が薬剤ケース１の横幅の３倍強に及ぶ長さである。長尺部分のうち平面視（図１７（Ｂ））で薬剤ケース１に接する部分は真っ直ぐでありそこからはみ出して左右に延びる部分は緩やかに正面側に湾曲している。また、長尺樋８Ａは正面視（図１７（Ｃ））で長さ方向の中間部を頂点とした緩やかな山形をしている。長尺体の全長は使用する小便器の壁面の例えば尿石等を除去したい範囲の長さとしており、湾曲の曲率は使用する小便器の壁面の湾曲の曲率に一致させている。図１７では、長尺樋８Ａは薬剤ケース１の高さの約中間の高さにその山形の頂点を取り付けている。
【００４８】
《長尺樋８Ａに形成されたスリットＫと邪魔板Ｊの形状》
そして、はみ出し部分の断面コ字状の裏側側壁Ａ２には、その長さ方向の複数箇所（図１７では３箇所）に縦長の幅の狭いスリットＫを設け、かつ長尺樋８Ａの内部を通過する薬液Ｗｆの一部がスリットＫに向かうように裏側側壁Ａ２がスリットＫの下流側端部からスリットＫの上流側端部に向かうにつれてしだいに長尺樋８Ａの内部中央近傍まで延設した邪魔板Ｊを設けている。そして、長尺樋８Ａの両先端では表側側壁Ａ１の端部Ｅ（図１７（Ｂ））が小便器の壁面に向かうように曲折されている。
【００４９】
《スリットＫと邪魔板Ｊの作用・効果》
長尺樋８Ａの内部を通過する薬液Ｗｆの一部は邪魔板Ｊによって向きをスリットＫ方向に変えられ、スリットＫから勢いよく小便器の壁面に向かって噴出する。また、邪魔板Ｊと表側側壁Ａ１の間をすり抜けた薬液Ｗｆは、下流にある次の邪魔板Ｊによって向きをスリットＫ方向に変えられ、スリットＫから勢いよく噴出するか、または邪魔板Ｊと表側側壁Ａ１の間をすり抜ける。すべての邪魔板Ｊをすり抜けた薬液Ｗｆは、最終的に長尺樋８Ａの先端ＥのスリットＫから小便器の壁面に向かって勢いよく噴出することとなる。
このように長尺樋８Ａの内部を通過する薬液Ｗｆは、いずれかのスリットＫから小便器の壁面に勢いよく向かって噴出するか、あるいは長尺樋８Ａの先端に形成されたスリットＫから小便器の壁面に向かって勢いよく噴出することとなる。
したがって、実施例１７によれば、オーバーフロー分の薬液Ｗｆは長尺体の全長に亘って形成された邪魔板Ｊにより複数個の各スリットＫから勢いよく噴出するので、小便器の壁面の全面に亘って薬液Ｗｆが接触できることとなる。
【００５０】
《長尺樋８Ａの設置場所》
図１７では、長尺樋８Ａは薬剤ケース１に取り付けていたが、本発明ではこれに限定されるものではなく、長尺樋８Ａは薬剤ケース１から分離して薬剤ケース１の下方に取り付けてもよい。その場合、（１）長尺樋８Ａは小便器Ｗ（図１）に直接取り付けてもよいし、（２）薬剤ケース１を収納する収納容器を別に設けて、それに取り付けてもよい。（２）の場合は、長尺樋８Ａ付き収納容器を図１のように小便器Ｗに取り付け、小便器Ｗに取り付けた収納容器の中に薬剤ケース１を着脱自在に収納するようにする。使用済みの薬剤ケース１は収納容器から取り出し、新しい薬剤ケース１を収納容器の中に収納するようにすれば、長尺樋８Ａのない薬剤ケース１の交換であるから交換作業が迅速に行なえる。
また、分離される樋は図１７の長尺樋８Ａに限定されるものではなく、図６〜図１０に示したような樋８でももちろん構わない。
【００５１】
なお、本発明は上記した形態に限定されるものではなく、本発明の要旨を逸脱しない範囲内において種々の変更を加えてもかまわない。
【００５２】
本発明を詳細にまた特定の実施態様を参照して説明したが、本発明の精神と範囲を逸脱することなく様々な変更や修正を加えることができることは当業者にとって明らかである。
本出願は、２００９年５月２１日出願の日本特許出願２００９−１２３６２８、２００９年９月９日出願の日本特許出願２００９−２０８００８、に基づくものであり、その内容はここに参照として取り込まれる。
【符号の説明】
【００５３】
１  薬剤ケース 
２  ケース本体 
３  蓋 
４  導入口 
５  ガイド
６  隔壁 
７  排水口 
８  樋
８Ａ  長尺樋
Ａ１  表側側壁
Ａ２  裏側側壁
Ｅ  端部
Ｈ  フック
Ｊ  邪魔板
Ｋ  スリット
Ｗ  小便器
Ｗａ  洗浄水
Ｗｆ  薬液
ＷＨ  洗浄水噴出口
【図１】
0005445980.tif 000004
【図２】
0005445980.tif 000005
【図３】
0005445980.tif 000006
【図４】
0005445980.tif 000007
【図５】
0005445980.tif 000008
【図６】
0005445980.tif 000009
【図７】
0005445980.tif 000010
【図８】
0005445980.tif 000011
【図９】
0005445980.tif 000012
【図１０】
0005445980.tif 000013
【図１１】
0005445980.tif 000014
【図１２】
0005445980.tif 000015
【図１３】
0005445980.tif 000016
【図１４】
0005445980.tif 000017
【図１５】
0005445980.tif 000018
【図１６】
0005445980.tif 000019
【図１７】
0005445980.tif 000020